(57)【特許請求の範囲】
【請求項１】
表生地（３）とフェルトよりなる裏生地（２）との間にヒーター線（５）を介在して面状からなるカーペット本体（１）を構成する面状採暖具において、前記裏生地（２）の床面（１１）に接する面に樹脂層（２１）を表面に付着する凸部（８）を設けたことを特徴とする面状採暖具。
【請求項２】
前記裏生地（２）の床面（１１）に接する面に樹脂層（２１）を表面に付着する凸部（８）の目の方向が一定となる裏生地（２）を、凸部（８）の目の方向が相反するように裏生地（２ａ）と裏生地（２ｂ）とに配設したことを特徴とする請求項１記載の面状採暖具。
【請求項３】
前記裏生地（２）の床面（１１）に接する面に樹脂層（２１）を表面に付着する凸部（８）と凹部（９）とを平板状に交互に設けたことを特徴とする請求項１記載の面状採暖具。
【発明の詳細な説明】
【０００１】
【発明の属する技術分野】
本発明は、カーペット本体の裏生地から床への熱損失を少なくし、採暖面の暖房効率を改善した電気カーペット等からなる面状採暖具に関するものである。
【０００２】
【従来の技術】
従来に知られている一般的な電気カーペット等の面状採暖具を図６に示す。
【０００３】
このものはフェルトよりなる裏生地１２の上面にヒーター線１３、温度センサー１４を所定のパターンで配設し、その上面に同じくフェルトやカーペット地等よりなり、かつ裏生地１２より厚さの薄い表生地１５を乗せ、両者を熱プレスで圧着してカーペット本体１６を形成するものである。
【０００４】
また、他の例として図７に示すように、カーペット本体１６の裏生地１２に樹脂発泡体を使用し、その発泡体の床１８と接する面に多数の凹部１７を設けたものもある。（例えば実開平４−３２４０９号公報、特開昭６１−２９４７８６号公報等参照のこと）
さらに、他の例として特開平４−２０８３１８号公報に示すように、カーペット本体の裏生地の下面に凹凸を設け、さらにこの凹凸の表面にポリエステル繊維等よりなる不繊布を貼り合わせたものもある。
【０００５】
【発明が解決しようとする課題】
図６に示すものにおいては、採暖面である表生地１５側への熱伝達を良くし、床面側への断熱効果を向上させるためには、裏生地の厚さを厚くすれば良いが、この裏生地は伸縮性の少ないニードルパンチフェルトによって成形されているため、硬さがあり、クッション性や包装、収納時の折り畳み等の問題からその厚さには限界があった。
【０００６】
また、図７に示すものは、裏生地１２の凹部１７と床面１８との間に空間部が形成されているため、この空間部においてはある程度の断熱効果は発揮するものの、樹脂発泡体として使用されるウレタンフォームはクッション性がほとんど期待出来ない程度の弱いものであるため、採暖者が座った場合、しずみ込みやへたりが大きく、その部分での断熱効果や快適な採暖感は得られない欠点があるとともに、さらに樹脂発泡体はフェルトに比べて立体加工が複雑で価格が高いという欠点を有するものである。
【０００７】
さらに、特開平４−２０８３１８号公報に示すものは、裏生地の下面にポリエステル等の不繊布を貼り付け、さらにそのあとに裏生地全体を細かく折り畳んで波形の凹凸を形成しているため、床面への断熱効果はある程度発揮するものの、裏生地側を二層にしたり、裏生地を細かく折り畳む等の作業が必要であり、また裏生地全体が波をうっているため採暖時に座りごこちが悪いという欠点がある。
【０００８】
また、裏生地の床面側を凸部にし、空気層を多く設けると、床面との接触面積が少なくなり摩擦抵抗がへり、フローリング等の床面で滑り易いという欠点がある。一方、床面側に発泡樹脂を施したものは、床面での滑りはないがカーペット本体を部屋に敷くときに滑らないため、位置決めができないという問題もある。
【０００９】
また、さらに床面側の裏生地が凹凸状になっていると、フローリング等の滑り易い床面では効果があるが、毛足の長いカーペット本体が床に敷いてある場合、凹凸の目の向きとカーペット本体の目の向きによっては徐々に移動してずれるという問題があった。
【００１０】
本発明は、上記従来の電気カーペット等からなる面状採暖具における欠点を解決するためになされたもので、その目的とするところはカーペット本体の裏生地にフェルトを使用する面状採暖具において、床側への熱伝達が少なく、採暖効率がよく、さらに床面で滑りにくく、毛足の長いカーペット本体の上で使用されても移動やずれのない電気カーペット等からなる面状採暖具を提供するものである。
【００１１】
【課題を解決するための手段】
上記の課題を解決するために本発明においては、表生地とフェルトよりなる裏生地との間にヒーター線を介在して面状からなるカーペット本体を構成する面状採暖具において、前記裏生地の床面に接する面に樹脂層を表面に付着する凸部を設けたものとした。
【００１２】
また、前記裏生地の床面に接する面に樹脂層を表面に付着する凸部の目の方向が一定となる裏生地を、凸部の目の方向が相反するように分割した裏生地を配設したものとした。
【００１３】
また、前記裏生地の床面に接する面に樹脂層を表面に付着する凸部と凹部とを平板状に交互に設けたものとした。
【００１４】
【発明の実施の形態】
本発明は前述したごとく、ヒーター線からの熱は、主として裏生地への熱伝達によって床に伝わるが、カーペット本体の裏生地と床面との間には凸部による空気層が形成されているため、この空気層が断熱空間となり、床面への熱伝達が減少する。
【００１５】
また、裏生地と床面との接触が凸部となるため裏生地から床面へ逃げる熱は少なくなる。この結果、表生地への熱伝達が向上し、表生地全面の温度分布が均一となり、採暖感が向上する。
【００１６】
さらに、カーペット本体を敷くときは、凸部が床面と接触しているだけなので、部屋への位置決めはやりやすく、カーペット本体を使用しているときは凸部が倒れ、繊維についている樹脂層の床面との接触面積が増え、床面との摩擦力が増え、カーペット本体が滑りにくくなる。
【００１７】
また、裏生地の凸部が倒れたり、起きたりすることで床面の状態によっては徐々にカーペット本体が移動し、ずれることがあつたが、前記樹脂層を表面に付着する凸部の目の方向が相反するように前記裏生地を分割して設けたことで、移動やずれがなくなる。
【００１８】
【実施例】
以下、本発明の一実施例を示す添付図面に従って説明する。
【００１９】
図において、１は電気カーペット等からなる面状採暖具のカーペット本体であり、フェルトよりなる裏生地２と同じくフェルトよりなる表生地３及びこの裏生地２と表生地３との間に挾み込まれたヒーター部４とで構成されている。
【００２０】
ヒーター部４は裏生地２の分割した裏生地２ａ・裏生地２ｂと表生地３との間に蛇行状に配設されたヒーター線５と、このヒーター線５に沿って配設された温度センサー６及びこの温度センサー６の信号に基づいてヒーター線５の温度を指定された温度に制御するコントローラ７とで構成されている。
【００２１】
また、分割した裏生地２ａと裏生地２ｂからなる裏生地２の平板状において、床面１１と接する面に多数の凸部８を千鳥状、格子状等任意の配列で形成し、床面１１との間に前記多数の凸部８に隣接する凹部９を交互に区分して設けてあり、凹部９で形成される空気層を設けている。
【００２２】
この凸部８は、図３に示すように裏生地２の上面よりニードル１０でパンチングすることによりフェルトそのものを床面１１側に突出させている。
【００２３】
いわゆる、裏生地２は平板状に凸部８と凹部９とを区分して交互に形成する構成とするか、あるいは平板状に凸部８を形成させる波形形状を構成し、裏生地２の上面には谷部を形成するとともに、下面には平坦部あるいは逆山部を形成した連続体を形づくる。
【００２４】
この際、凸部８の数あるいは逆山部の高さ、配列はニードル１０の長さや配列の仕方を適宜選定することによって最良の状態に形成することができる。
【００２５】
ニードルパンチングで凸部８を突出した表面上にスプレーや含浸等の方法でゴム系やアクリル系の樹脂層２１を設けてあり、樹脂層２１は凸部８の繊維に付着している。
【００２６】
また、ニードルパンチングで凸部８を形成した裏生地２は、ニードルパンチングの加工方向に対して、平行もしくは直角に複数に分割し、分割したそれぞれの裏生地２ａ・裏生地２ｂは相反して互い違いに目の向きを変えてカーペット本体１を形成している。
【００２７】
次に、前記構成における作用を説明する。
【００２８】
この実施例におけるカーペット本体１は床面１１に敷いた場合、前記裏生地２の凸部８と床面１１との間に空気層が形成される。
【００２９】
この空気層において、ヒーター線５から床面１１への熱の通過量はヒーター線５と裏生地２の間の熱伝達率、裏生地２の熱伝導率、空気層の厚さとその面積が影響するが、凹部９が断熱空間の役目をし、また凸部８と床１１との接触面積が少ないことにより床面１１への熱伝達は少なくなる。
【００３０】
また、凸部８の表面の樹脂層２１は、フローリングなどの床面上で摩擦が大きくなり滑りにくくなるが、採暖者がカーペツト本体１上に載っていないときは、床面１１と接する部分は凸部８だけなので、接触面積が少なく摩擦力もそれほど大きくならず部屋に敷いて位置決めするときに簡単にできる。
【００３１】
また、図５に示すようにカーペット本体１上に採暖者が座った場合には、（ａ）に示すように凸部８にクツシヨン効果があることからヒーター線５のストレスが減少する。
【００３２】
また、凸部８が倒れたり、つぶれたりすると繊維層の床面１１との接触面積が増加し、凸部８の繊維層に付着している樹脂層２１と床面１１とが密着することで床面１１での滑りを防止する。
【００３３】
また、凸部８はニードルパンチ加工にて形成されるため、加工方向に対して一定の方向に目の向きがあり、凸部８が倒れる方向はその目の方向になるため、床面１１側も毛足が長くて毛足の目の方向が強いカーペツト本体１のような場合、凸部８がカーペツト本体１上の荷重の繰り返しにより倒れたり、起きたりを繰返すと目の方向に徐々に移動したり、ずれたりするが、裏生地２の分割した裏生地２ａ・裏生地２ｂは目の方向を変えて形成してあるため、凸部８の目の方向を打ち消し、一定の方向に移動することはなく、ほとんど移動、およびずれがない。
【００３４】
【発明の効果】
以上、説明したように本発明によれば、表生地とフェルトよりなる裏生地との間にヒーター線を介在して面状からなるカーペツト本体を構成する面状採暖具において、前記裏生地の床面に接する面に樹脂層を表面に付着する凸部を設けたものとし、または、前記樹脂層を表面に付着する凸部の目の方向が相反するように前記裏生地を分割して設けたものにしたので、凸部の繊維に付着した樹脂層により、床面での滑りは設置時は滑りやすく、使用時は滑りにくくなり、床面の状況によつて徐々に移動やずれが発生しない。
【００３５】
また、床への熱伝達が少なくなる分消費電力も抑えることができ、かつ裏生地を薄くすることも可能である。
【００３６】
また、裏生地と床面との間には凸部による空気層が形成され、床への熱伝達が少なくなり、表生地への熱伝達が良好となり、温度分布が均一となり、採暖感が良くなる。
【図面の簡単な説明】
【図１】本発明の一実施例を示す電気カーペット等からなる面状採暖具の断面図である。
【図２】同ヒーター部の斜視図である。
【図３】同製造工程説明図である
【図４】同裏生地の拡大断面図である。
【図５】同じく本体に採暖者が座ったときの状態を示す図である。
【図６】従来の電気カーペット面状採暖具の断面図である。
【図７】従来の電気カーペット面状採暖具の要部断面図である。
【符号の説明】
１    カーペツト本体
２    裏生地
２ａ  裏生地
２ｂ  裏生地
３    表生地
５    ヒーター線
８    凸部
９    凹部
１１    床面
２１    樹脂層
【図１】
0003559677.tif 000002
【図２】
0003559677.tif 000003
【図３】
0003559677.tif 000004
【図４】
0003559677.tif 000005
【図５】
0003559677.tif 000006
【図６】
0003559677.tif 000007
【図７】
0003559677.tif 000008